(57)【要約】【課題】本発明は、複数の紙や樹脂性シート等の被カッティング対象物を、その中央部において簡単に正確に裁断できる、新規な構造の裁断機を提供することを目的とするのもである。【解決手段】本発明は、被カッティング対象物を配置するテーブルと、前記被カッティング対象物を裁断する裁断刃と、この裁断刃が裁断方向にスライド移動可能に配置されるガイドレール部とを有する裁断機において、前記ガイドレール部は、前記テーブルの略中央付近に配置されると共に、前記裁断方向に直交する方向にスライド移動可能に配置される第１及び第２の位置決め用ガイドを有し、この第１及び第２の位置決め用ガイドは、前記裁断線を中心として相互に反対方向に連動してスライド移動することを特徴とするものである。【選択図】    図１
2017213605.tif 000002
【特許請求の範囲】
【請求項１】
被カッティング対象物を配置するテーブルと、前記被カッティング対象物を裁断する裁断刃と、この裁断刃が裁断方向にスライド移動可能に配置されるガイドレール部とを有する裁断機において、前記ガイドレール部は、前記テーブルの略中央付近に配置されると共に、前記裁断方向に直交する方向にスライド移動可能に配置される第１及び第２の位置決め用ガイドを有し、この第１及び第２の位置決め用ガイドは、前記裁断線を中心として相互に反対方向に連動してスライド移動することを特徴とする裁断機。
【請求項２】
前記第１のガイド及び第２の位置決め用ガイドの側面にはラックが設けられ、前記ガイドレール部の下部には、このラックに対応したピニオンが設けられていることを特徴とする請求項１項記載の裁断機。
【発明の詳細な説明】
【技術分野】
【０００１】
本発明は、裁断機に関するものであり、特に、簡単に被カッティング対象物の中央で裁断することが可能な、新規な構造の裁断機に関するものである。
【背景技術】
【０００２】
多数積層した紙や樹脂フィルムなどの被カッティング対象物を、カッティングする必要がある場合、裁断機が用いられている。
これは、被カッティング対象物を配置するテーブルと、このテーブルの一端で、被カッティング対象物を裁断する裁断刃とを有し、裁断したい部位である裁断線を、このテーブルの端部に正確に配置して、前記の裁断刃で切断するものである。
裁断機は、所定の位置で正確に裁断するために、前記テーブルにゲージ目盛やガイドラインが設けられたものがある。
【０００３】
このような裁断機を用いて紙等を正確に中央でカッティングするためには、利用者が例えば紙を中央で折って、折り目を作り、この折り目を裁断位置に合わせ込まなければならない。
或は、特許文献１の図１に示されているような紙当て定規を、紙の半分の寸法位置に固定して、この紙当て定規に紙の端部を当接させて裁断しなければならず利用者にとって面倒なものとなっている。
【０００４】
【特許文献１】特開２０１３−１４１７４１号
【発明の開示】
【発明が解決しようとする課題】
【０００５】
種々の大きさの紙等の被カッティング対象物の中央を正確に裁断したい場合、上述の特許文献１の紙当て定規では、その紙等の半分の長さを測定して、その位置に紙当て定規を移動、配置しなければならない。
特に、Ａ判、或はＢ判といった定型のサイズ以外のサイズの被カッティング対象物の場合は、その大きさの２分の１の大きさを測定するのば、極めて面倒な作業となる。
【課題を解決するための手段】
【０００６】
本発明は、請求項１に記載するように、被カッティング対象物を配置するテーブルと、前記被カッティング対象物を切断する裁断刃と、この裁断刃が裁断方向にスライド移動可能に配置されるガイドレール部とを有する裁断機において、前記ガイドレール部は、前記テーブルの略中央付近に配置されると共に、前記裁断方向に直交する方向にスライド移動可能に配置される第１及び第２の位置決め用ガイドを有し、この第１及び第２の位置決め用ガイドは、前記裁断線を中心として相互に反対方向に連動してスライド移動することを特徴としている。
【０００７】
また請求項２に記載するように、前記第１のガイド及び第２のガイドの側面にはラックが設けられ、前記ガイドレール部の下部には、このラックに対応したピニオンが設けられていることを特徴としている。
【発明の効果】
【０００８】
本発明によれば、裁断機に被カッティング対象物の中央裁断機能を設けることによって、利便性の向上した裁断機を提供することが可能となる。
【図面の簡単な説明】
【０００９】
【図１】図１は、本発明の第１の実施例の裁断機の構造を示す斜視図である。
【図２】図２は、本発明の実施例装置の第１及び第２の位置決め用ガイドを本体側に移動し収納した状態を示す斜視図である。
【図３】図３は、本発明の実施例装置の第１及び第２の位置決め用ガイドの連結状態を説明するための上面図である。
【発明を実施するための最良の形態】
【００１０】
以下、本発明を実施するための最良の形態について、図面を参照して詳細に説明する。
【実施例】
【００１１】
以下、図に沿って本発明の一実施例を説明する。
図１は本発明の一実施例の裁断機の斜視図である。
１はこの裁断機の本体、２は紙や樹脂性フィルムなどの被カッティング対象物を配置するテーブル、３は裁断線に沿った開口を有し、この裁断線に沿って裁断刃を移動させてるために、テーブル２の略中央付近に設けられたガイドレール、４は被カッティング対象物を裁断する裁断刃を収納した刃体（カートリッジ）、５はガイドレール３に沿って、刃体４をスライド移動させるための刃体収納部、６はガイドレール３の裁断線の方向に直交する方向にスライド移動する第１の位置決め用ガイド、７は同様にガイドレール３の裁断線の方向に直交する方向にスライド移動する第２の位置決め用ガイド６である。
【００１２】
第１の位置決め用ガイド６と第２の位置決め用ガイド７は、連動し、ガイド６またはガイド７のどちらか一方をスライド移動させると、他方のガイドは前記ガイドレール３の裁断位置（裁断線）を中心に、相互に逆方向に対象的に同じ距離移動する。
また、第１の位置決め用ガイド６は、２つのスライドバーと、この２つのスライドバーを連結する位置決め部（連結部）で構成されており、第２の位置決め用ガイド７は、１つのスライドバーと、その端部に設けられた１つの位置決め部で構成されている。
【００１３】
テーブル２の一端（図中上右側端）には、第１及び第２の位置決め用ガイド６，７の位置決め部とは直交する方向（裁断線と直交する方向）の位置決め部８が設けられており、この位置決め部８に被カッティング対象物の一端を当接させることで、この位置決め部８に直交する裁断（被カッティング対象物の一端に直交する裁断）を正確に行うことが可能となる。
【００１４】
第１及び第２の位置決め用ガイド６，７を、本体１側に最も近接させた状態（ガイド収納状態）を図２に示す。
第１の位置決め用ガイド６の位置決め部は、その位置決め部（連結部）がテーブル２よりも外側に突出しており、第２の位置決め用ガイド７は、位置決め部も含めてテーブル２内に完全に入り込んでいる。
このため、テーブル２の一方の端部は、第１のガイド６の被カッティング対象物と接する面に位置し、テーブル２の他方の端端は、第２のガイド７の後端面に位置する。
このため、この第１のガイド６及び第２のガイド７の中心である裁断位置（裁断線）は、テーブル２の中央ではなく、第１のガイド側に位置している。
従って、先に、ガイドレール３はテーブル２の略中央付近に設けられている。と述べたが、この略中央付近とは、テーブル２の完全な中央のみならず、中央から若干ずれた位置をも含むことを表している。
【００１５】
続いて第１の位置決め用ガイド６と第２の位置決め用ガイド７との連結状態を図３を用いて説明する。
本体１の内部に保持固定される、ガイドレール３の下部フレーム９には第１及び第２の位置決め用ガイドがスライド移動可能に配置される溝が３つ設けられており、この溝に第１及び第２のガイドのスライドバーが夫々配置される。
また、この第１及び第２のガイド６．７のスライドバーの１側面にはラック１０が設けられている。
また、ガイドレール３の下部フレーム９には、第１の位置決め用ガイドの２つの前記ラック１０に歯がかみ合うように、ピニオン１１が２つ設けられている。
尚、第１及び第２の位置決め用ガイド６，７が対向する位置のピニオン１１は、図に示すように、第１及び第２の位置決め用ガイド６，７の両方にかみ合っている。
このため、第１の位置決め用ガイド６を、矢印Ａの方向に移動させると、第２の位置決め用ガイド７は、矢印Ｂの方向に、第１のガイドの移動距離と同じ距離スライド移動する。
【００１６】
第１の位置決め用ガイド６は２つのスライドバーと、これを連結する位置決め部とで構成されているため、この位置決め部は、被カッティング対象物に広く接触することができ、このため、裁断線に平行に正確に被カッティング対象物を位置決めすることができる。
また、他方の第２の位置決め用ガイド７は、１つのスライドバーと、このスライドバーの端部に設けられた１つの位置決め部とで構成されているため、部品点数を少なくして、低コスト化が実現される。
【００１７】
また、前述のように、第２の位置決め用ガイド７は、その位置決め部を含めて本体１の内部に収容することができるため、不要な突出部が排除され、装置全体の小型化が実現される。
【００１８】
本発明は、上記実施例に限定されるものではなく、例えば、本体１やテーブル２、ガイドレール３等の構造、形状は種々変更可能である。
また、位置決め用ガイド６，７の形状や連結部の構造も上述の実施例に限定されるものではない。
例えば、第１の位置決め用ガイド６は、第２の位置決め用ガイド７と同様に、１つのスライドバーと位置決め部で構成してもよい。
或は、第２の位置決め用ガイド７を、第１の位置決め用ガイドと同様の構造としてもよい。
【産業上の利用可能性】
【００１９】
本発明は、多様な大きさの被カッティング対象物であっても、簡単にその中央を裁断可能な、新規な構造の裁断機を提供するものである。
【符号の説明】
【００２０】
１：本体
２：テーブル
３：ガイドレール
４：刃体（裁断刃を収容したカートリッジ）
６：第１の位置決め用ガイド
７：第２の位置決め用ガイド
【図１】
2017213605.tif 000003
【図２】
2017213605.tif 000004
【図３】
2017213605.tif 000005